(57)【要約】【課題】本発明は、設置に必要な高さを抑えたガス配管接続構造を提供することを目的とする。【解決手段】供給側配管３が下り勾配をもって入口接続部材４に接続され、入口接続部材４にはドレン溜り４３が設けられていることから、供給側配管３と入口接続部材４との接続位置、すなわち、供給側接続部４１からガスメータＭの入口Ｍ１までの高さを抑えて設定することができ、さらに、固定手段７を用いてガスメータＭを支持板Ｗに固定することから、ガスメータＭを吊り下げて支持するためのガス配管をさらに設置する必要がない。従って、ガス配管接続構造１の設置高さを抑えることができ、空間に制限のある設置場所においてもガス供給設備を設置することができる。【選択図】図２
2014137290.tif 000002
【特許請求の範囲】
【請求項１】
ガスメータを介してガスの供給側と需要側とを接続するガス配管接続構造であって、
ガスメータの入口側に接続される入口接続部材と、
ガス供給元から下り勾配をもって前記入口接続部材に接続される供給側配管と、
ガスメータを支持面に固定する固定手段と、を備え、
前記入口接続部材は、
該入口接続部材と前記供給側配管とを接続する供給側接続部と、
前記供給側接続部よりも鉛直方向上方に設けられるとともに、該入口接続部材と前記ガスメータとの入口側とを接続する入口側接続部と、
前記供給側接続部よりも鉛直方向下方に設けられるとともに、前記供給側配管からの凝縮液を溜めるためのドレン溜りと、
前記ドレン溜りの下端部に設けられるとともに、前記凝縮液を排出するためのドレン抜きと、を有して形成されることを特徴とするガス配管接続構造。
【請求項２】
前記固定手段は、
前記ガスメータを前記支持面に固定するための固定部材と、
前記固定部材と前記ガスメータとを接続する接続板と、を有して構成され、
前記固定部材は、
前記支持面に当接するとともに、該支持面に固定具を用いて固定される当接部と、
前記支持面から離れる方向に向かって前記当接部から延設されるとともに、前記接続板に固定具を用いて固定される延設部と、を有して形成されることを特徴とする請求項１に記載のガス配管接続構造。
【請求項３】
前記供給側配管は可撓管により構成されていることを特徴とする請求項１又は２に記載のガス配管接続構造。
【請求項４】
前記ガス供給元がＬＰガス容器であって、
前記ＬＰガス容器と、前記ガスメータと、前記入口接続部材と、前記供給側配管と、前記固定手段と、が外箱に収容されるとともに、
前記ガスメータは、前記外箱の内壁面又は該内壁面に設けられた支持板からなる前記支持面に、前記固定手段により固定されていることを特徴とする請求項１〜３のいずれか１項に記載のガス配管接続構造。
【発明の詳細な説明】
【技術分野】
【０００１】
本発明は、ガス供給設備において、ガスメータを介してガスの供給側と需要側とを接続するガス配管接続構造に関する。
【背景技術】
【０００２】
従来、ガス供給設備としてＬＰガス供給設備があり、ガス配管やガスメータとの接続構造が種々提案されている（例えば、特許文献１参照）。特許文献１に記載されたＬＰガス供給装置は、ガスの圧力調整器の下方に接続されるとともに、ガス供給側からの凝縮液を排出するためのドレン抜きを有して構成される第１ブロックと、ガスメータの入口側に接続される入口側配管及びガスメータの出口側に接続される出口側配管を有する第２ブロックと、を備え、入口側配管と出口側配管とドレン抜きとは、それぞれ壁面に固定され、下方から鉛直方向に立ち上がって設けられた入口側配管及び出口側配管によって、ガスメータが吊り下げ支持されている。さらに、第１ブロックと第２ブロックとの間は可撓管により接続されている。従って、設置場所に応じて第１ブロックと第２ブロックとの配置を調整することができ、出窓等の構造物により制約のある設置場所においても最適な配置を選択することができるようになっている。また、本明細書において、凝縮液とは、ＬＰガス残留高沸点成分及び水分又は水和物などを示す。
【先行技術文献】
【特許文献】
【０００３】
【特許文献１】特開平１０−１６９８９９号公報
【発明の概要】
【発明が解決しようとする課題】
【０００４】
しかしながら、特許文献１に記載されている従来のガス配管接続構造を用いてガス供給設備を設置する場合、ガスメータを吊り下げて支持するための入口側配管及び出口側配管には一定以上の長さが必要であり、さらに、ガス供給側からの凝縮液がガスメータへ浸入することを防ぐために、入口側配管をドレン抜きよりも上方に設ける必要があるため、設置場所の高さに余裕が無い場合に設置が困難であるという問題があった。
【０００５】
従って、本発明は、上記のような問題点に着目し、設置に必要な高さを抑えたガス配管接続構造を提供することを目的とする。
【課題を解決するための手段】
【０００６】
上記問題を解決するために、本発明のガス配管接続構造は、ガスメータを介してガスの供給側と需要側とを接続するガス配管接続構造であって、ガスメータの入口側に接続される入口接続部材と、ガス供給元から下り勾配をもって前記入口接続部材に接続される供給側配管と、ガスメータを支持面に固定する固定手段と、を備え、前記入口接続部材は、該入口接続部材と前記供給側配管とを接続する供給側接続部と、前記供給側接続部よりも鉛直方向上方に設けられるとともに、該入口接続部材と前記ガスメータとの入口側とを接続する入口側接続部と、前記供給側接続部よりも鉛直方向下方に設けられるとともに、前記供給側配管からの凝縮液を溜めるためのドレン溜りと、前記ドレン溜りの下端部に設けられるとともに、前記凝縮液を排出するためのドレン抜きと、を有して形成されることを特徴とする。
【０００７】
本発明によれば、供給側配管が下り勾配をもって入口接続部材に接続され、入口接続部材にはドレン溜りが設けられていることから、供給側配管と入口接続部材との接続位置、すなわち供給側接続部からガスメータの入口までの高さを抑えて設定しても、ガスメータの入口からの凝縮液の浸入を防止することができる。さらに、固定手段を用いてガスメータを支持面に固定することから、ガスメータを吊り下げて支持するためのガス配管を設置する必要がない。従って、ドレン溜りの下端部に設けられたドレン抜きからガスメータの入口までの高さ、すなわち、ガス配管接続構造の設置高さを抑えることができ、空間に制限のある設置場所においてもガス供給設備を設置することができる。
【０００８】
また、請求項１に記載のガス配管接続構造において、前記固定手段は、前記ガスメータを前記支持面に固定するための固定部材と、前記固定部材と前記ガスメータとを接続する接続板と、を有して構成され、前記固定部材は、前記支持面に当接するとともに、該支持面に固定具を用いて固定される当接部と、前記支持面から離れる方向に向かって前記当接部から延設されるとともに、前記接続板に固定具を用いて固定される延設部と、を有して形成されることが好ましい。
【０００９】
このような構成によれば、固定部材において、ガスメータを固定する延設部が支持面から離れる方向に向かって当接部から延設されていることにより、支持面から離れた位置でガスメータを固定することができ、支持面とガスメータとの間に入口接続部材を配設することができる。従って、空間を効率的に利用することができ、より狭い設置場所にもガス供給設備を設置することができる。
【００１０】
また、請求項１又は２に記載のガス配管接続構造において、前記供給側配管は可撓管により構成されていることが好ましい。
【００１１】
このような構成によれば、可撓管を供給側配管として使用することにより、ガス供給元と入口接続部材との間を自在に接続することができ、高さや空間に制限がある場所においても、効率的に供給側配管を配設することができる。
【００１２】
また、請求項１〜３のいずれか１項に記載のガス配管接続構造において、前記ガス供給元がＬＰガス容器であって、前記ＬＰガス容器と、前記ガスメータと、前記入口接続部材と、前記供給側配管と、前記固定手段と、が外箱に収容されるとともに、前記ガスメータは、前記外箱の内壁面又は該内壁面に設けられた支持板からなる前記支持面に、前記固定手段により固定されていることが好ましい。
【００１３】
このような構成によれば、ガス供給元、ガスメータ、入口接続部材、供給側配管、固定手段が外箱に収容されていることから、ガス供給元からガスメータの出口までのガス配管接続構造を予め決めておくことができ、設置場所に応じて需要側配管を接続することにより設置作業が完了するため、設置時の作業を効率良く実施することができる。
【発明の効果】
【００１４】
以上のような本発明のガス配管接続構造によれば、ガスの供給側配管をガスの供給元から下り勾配をもってドレン溜りを設けた入口接続部材に接続し、さらに、ガスメータを壁面等の支持面に固定することにより、ガスの供給元とガスメータとの鉛直方向の距離を近くすることができ、ガス供給設備を設置する際の高さを抑制することができることから、高さに制限がある設置場所においても、ガス供給設備を設置することが可能となる。
【図面の簡単な説明】
【００１５】
【図１】本発明の一実施形態に係るエネルギー供給ユニットの正面図である。
【図２】前記エネルギー供給ユニットの部分拡大図であり、ガス配管接続構造を示す正面図である。
【図３】前記ガス配管接続構造の平面図である。
【発明を実施するための形態】
【００１６】
本発明の一実施形態に係るガス配管接続構造を図１〜３を参照して説明する。本実施形態のガス配管接続構造１は、外箱に収容されたエネルギー供給ユニット２において、ガスメータＭを介してガス供給元であるＬＰガス容器Ｇとガスの需要側配管Ｐとを接続するものである。
【００１７】
エネルギー供給ユニット２は、ＬＰガス容器Ｇから図示しない外部の燃焼機器及び電気機器にエネルギーを供給するためのものであり、外箱である筐体２１と、ガス配管接続構造１と、ＬＰガス容器Ｇと、ガスメータＭと、筐体２１の内壁面に設けられるとともに、ガスメータＭが固定される支持板Ｗと、ガスメータＭと後述する発電機２２又は図示しない外部の燃焼機器とを接続する需要側配管Ｐと、発電機２２と、需要側配管Ｐと発電機２２とを接続するための発電機側配管２３と、発電機２２と外部の図示しない電気機器とを接続するための電源コード２４と、を備えて構成されている。また、本実施形態において、図１の正面図における左右方向をＸ方向とし、上下方向をＺ方向とし、紙面との垂直方向をＹ方向とし、前後左右上下は、図１の正面図を基準とする。
【００１８】
エネルギー供給ユニット２は、例えば、Ｘ方向を建物間の通路方向に合わせて設置され、ガスを図示しない外部の燃焼機器に供給するとともに、非常時には、発電機２２を用いて発電を行うことにより、電気機器に電力を供給することができる。その際、需要側配管Ｐ及び発電機２２は発電機側配管２３により接続されて、ガスが発電機２２に供給され、発電機２２及び図示しない電気機器が電源コード２４により接続されて、発電機２２により発電された電気が電気機器に供給される。
【００１９】
ガスの需要側配管Ｐは、一方側端部において後述する出口配管ユニット６の出口第二接続部６３に接続され、筐体２１の内壁面に沿って左右方向（図中に矢印Ｘで示す方向）外側に向かって延設され、他方側端部において二経路に分岐されている。分岐された端部には、図示しない外部の燃焼機器につながる配管との接続部及び発電機側配管２３との接続部がそれぞれ設けられており、分岐された配管のうち外部の燃焼機器とつながる一方側は、筐体２１の外部に突出して設けられている。
【００２０】
ガス配管接続構造１は、ＬＰガス容器Ｇの圧力調整器Ｇ１に接続される供給側配管３と、供給側配管３と後述する入口配管ユニット５とを接続する入口接続部材４と、ガスメータＭの入口Ｍ１に接続される入口配管ユニット５と、ガスメータＭの出口Ｍ２とガスの需要側配管Ｐとを接続する出口配管ユニット６と、ガスメータＭを後述する支持板Ｗに固定するための固定手段７と、を備えて構成されている。
【００２１】
ガスの供給側配管３は、自在に屈曲可能なフレキシブル管などからなる可撓管により構成され、一方側端部はＬＰガス容器Ｇの圧力調整器Ｇ１に接続され、他方側端部は後述する入口接続部材４の供給側接続部４１に接続されており、一方側端部から他方側端部に向かって下り勾配をもって配設されている。
【００２２】
入口接続部材４は、供給側配管３と入口接続部材４とを接続する供給側接続部４１と、供給側接続部４１よりも鉛直方向（図中の矢印Ｚ方向）上方に設けられるとともに、入口接続部材４と後述する入口配管ユニット５の入口第二接続部５３とを接続する入口側接続部４２と、供給側接続部４１よりも鉛直方向下方に設けられるとともに、供給側配管３からの凝縮液を溜めるためのドレン溜り４３と、ドレン溜り４３の下端に設けられるとともに、この凝縮液を排出するためのドレン抜き４４と、を有して形成されている。さらに、入口側接続部４２の上下端の外側及びドレン溜り４３の上端の内側はねじ切り加工されており、入口側接続部４２とドレン溜り４３の上端は螺合して接続されている。また、ドレン溜り４３は、例えば、１５Ａ配管を用いて形成されており、その長さは５ｃｍ以上に設定されている。また、供給側接続部４１からガスメータＭの入口Ｍ１までの高さは４００ｍｍ以下に設定されている。
【００２３】
入口配管ユニット５及び出口配管ユニット６は、それぞれ支持板Ｗから前方側に離れる方向（図中に矢印Ｙで示す方向）に延び、それらの前方側かつ下側にガスメータＭが取り付けられている。
【００２４】
入口配管ユニット５は、入口配管ユニット本体５１と、入口配管ユニット本体５１の一方側端部とガスメータＭの入口Ｍ１とを接続する入口第一接続部５２と、入口配管ユニット本体５１の他方側端部と入口接続部材４の入口側接続部４２の上端とを接続する入口第二接続部５３と、入口配管ユニット５を接続板７２に固定するためのガスメータ側固定孔５４と、を有して形成されている。
【００２５】
出口配管ユニット６は、出口配管ユニット本体６１と、出口配管ユニット本体６１の一方側端部とガスメータＭの出口Ｍ２とを接続する出口第一接続部６２と、出口配管ユニット本体６１の他方側端部と需要側配管Ｐとを接続する出口第二接続部６３と、出口配管ユニット６を接続板７２に固定するためのガスメータ側固定孔６４と、を有して形成されている。
【００２６】
固定手段７は、支持板Ｗに固定される固定部材７１と、入口配管ユニット５及び出口配管ユニット６を介してガスメータＭと固定部材７１とを接続する接続板７２と、固定具７３と、を有して構成されている。固定具７３は、例えばボルト及びナットを有して構成されている。
【００２７】
固定部材７１は、Ｌ字形状の金属部材に穴あけ加工や曲げ加工を施すことにより形成されており、支持板Ｗに固定具７３を用いて固定される当接部７１１と、当接部から前後方向（図面の矢印Ｙ方向）に延設されるとともに、接続板７２に固定具７３を用いて固定される延設部７１２と、を有して形成されている。当接部７１１は、上方の左右方向（図中の矢印Ｘ方向）に並んで２個、下方の左右方向中央に１個形成された支持面固定孔７１３を有して形成され、延設部７１２には、前後方向に長孔で形成された接続板固定孔７１４を有して形成されている。
【００２８】
接続板７２は、金属板材に穴あけ加工や曲げ加工を施すことにより形成されており、入口配管ユニット５及び出口配管ユニット６を固定するためのガスメータ側固定孔７２１が左右方向（図中の矢印Ｘ方向）に離隔した対称位置に２個形成されているとともに、固定部材７１を固定するための固定部材固定孔７２２が左右方向中央において前後方向（図中の矢印Ｙ方向）に並んで２個形成されている。
【００２９】
本実施形態によれば、供給側配管３が下り勾配をもって入口接続部材４に接続され、入口接続部材４にはドレン溜り４３が設けられていることから、供給側配管３と入口接続部材４との接続位置、すなわち、供給側接続部４１からガスメータＭの入口Ｍ１までの高さを抑えたとしても、ガスメータＭの入口Ｍ１からの凝縮液の侵入を防止することができる。さらに、固定手段７を用いてガスメータＭを支持板Ｗに固定することから、ガスメータＭを吊り下げて支持するためのガス配管をさらに設置する必要がない。従って、ドレン溜り４３の下端に設けられたドレン抜き４４からガスメータＭの入口Ｍ１までの高さ、すなわち、ガス配管接続構造１の設置高さを抑えることができ、空間に制限のある設置場所においてもガス供給設備を設置することができる。
【００３０】
また、固定部材７１において、ガスメータＭを固定する延設部７１２が支持板Ｗから離れる方向に向かって当接部７１１から延設されていることにより、支持板Ｗから離れた位置でガスメータＭを固定することができ、支持板ＷとガスメータＭとの間の空間に入口接続部材４及び需要側配管Ｐを配設することができる。従って、空間を効率的に利用することができ、筐体２１のようなより狭い設置場所においてもガス供給設備を設置することができる。
【００３１】
また、供給側配管３として可撓管を使用していることから、ＬＰガス容器Ｇの圧力調整器Ｇ１と入口接続部材４との間を自在に接続することができ、高さや空間に制限のある設置場所においても、効率的に供給側配管３を配設することができる。
【００３２】
なお、本発明は、前記実施形態に限定されるものではなく、本発明の目的が達成できる他の構成等を含み、以下に示すような変形等も本発明に含まれる。
【００３３】
例えば、前記実施形態においては、エネルギー供給ユニット２の一部にガス配管接続構造１が設けられていたが、通常のＬＰガス供給設備の一部として本発明のガス配管接続構造１を利用することができる。
【００３４】
また、ガス配管接続構造１が筐体２１に収容されていたが、筐体２１に収容されずに外部に設置されていてもよい。その場合は、建物の壁面や支柱等を支持面としてガスメータＭが固定されていればよい。
【００３５】
また、ドレン溜り４３は、長さ５ｃｍ以上の１５Ａ配管を用いたものに限らず、同程度以上の容量を有したものを利用することができる。
【００３６】
また、固定部材７１は、Ｔ字形状に形成されていたが、支持板Ｗ及び接続板７２に固定することができればよく、例えばＬ字形状に形成されていてもよい。さらに、固定手段７は、固定部材７１及び接続板７２が別体に形成されていたが、一体に形成されていてもよい。
【００３７】
また、ガスメータＭを固定する支持面は鉛直面に限らず、斜面や水平面を支持面として利用してもよい。例えば、ガスメータＭを天井等の水平面に固定する場合には、コ字形状に形成された固定部材７１を利用することができる。
【００３８】
また、供給側配管３は、可撓管により構成されていたが、ガス供給元から下り勾配をもって入口接続部材４に接続されていればよく、可撓性の無い鋼管により構成されていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００４０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
１      ガス配管接続構造
３      供給側配管
４      入口接続部材
７      固定手段
２１    筐体（外箱）
４１    供給側接続部
４２    入口側接続部
４３    ドレン溜り
４４    ドレン抜き
７１    固定部材
７２    接続板
７３    固定具
７１１  当接部
７１２  延設部
Ｇ      ＬＰガス容器（ガス供給元）
Ｍ      ガスメータ
Ｗ      支持板（支持面）
【図１】
2014137290.tif 000003
【図２】
2014137290.tif 000004
【図３】
2014137290.tif 000005